(57)【特許請求の範囲】
【請求項１】
魚釣りに用いるルアーであって、
透過性を有する合成樹脂からなる中空のルアー本体と、
前記ルアー本体内に前記ルアー本体の幅方向に並行に配置された半透明シートと
を備えたルアー。
【請求項２】
魚釣りに用いるルアーであって、
透過性を有する合成樹脂からなる中空のルアー本体と、
前記ルアー本体内に配置された前記ルアー本体の長手方向直交断面が略Ｖ字型の半透明シートと
を備えたルアー。
【請求項３】
前記半透明シートは前記ルアー本体の長手方向直交断面において前記ルアー本体底面側に開いている、請求項２に記載のルアー。
【請求項４】
前記半透明シートは前記ルアー本体の長手方向直交断面において前記ルアー本体上面側に開いている、請求項２に記載のルアー。
【発明の詳細な説明】
【０００１】
【発明の属する技術分野】
本発明は魚釣りに用いるルアーに関する。
【０００２】
【従来の技術】
従来のルアーには、外形を魚に似せて形成され透過性を有する合成樹脂からなるルアー本体を有するものがある。そして、ルアー本体の頭部付近に設けられ釣糸を係止可能な釣糸係止部と、ルアー本体の尾部付近及び腹部付近に連結されたフック（釣針）とを有している。
【０００３】
このルアーは釣糸係止部に釣糸を係止した状態で水中にキャスティングされる。釣人がリトリーブすると、ルアーは水中を泳動して小魚のように振る舞い魚を引きつける。また、このルアーのルアー本体は透過性を有するので、ルアー本体表面において外部からの光が乱反射すると共に、外部からの光がルアー本体を透過しつつ屈折して輝き、魚の興味を引き立てている。
【０００４】
【発明が解決しようとする課題】
水中を泳動するルアーが受ける光は、当然にルアーの上面方向に位置する水面から水中に侵入する光である。前記従来のルアーではこのルアー上面方向から侵入する光を十分に反射・屈折しているとは言い難い。特に、水面付近を泳動するタイプのルアーでは魚がルアーの底面方向に位置することになるので、上面方向からの光をルアーの底面方向に反射・屈折する必要がある。
【０００５】
本発明の課題は、光を十分に反射・屈折して魚の興味を引き立てるルアーを提供することにある。
【０００６】
【課題を解決するための手段】
発明１に係るルアーは、魚釣りに用いるルアーであって、透過性を有する合成樹脂からなる中空のルアー本体と、ルアー本体内にルアー本体の幅方向に並行に配置された半透明シートとを備えている。
キャスティング後に水中を泳動するこのルアーにおいて、ルアー上面方向からの光は透過性のルアー本体を透過して半透明シートに当たる。この半透明シートはルアー本体の幅方向に並行に配置されており、ルアー上面方向からの光を効率的に受けると共に、その光の一部を透過して屈折させ、また光の一部を乱反射する。このように半透明シートが光を屈折・乱反射して、魚の興味を十分に引き立てる。
【０００７】
発明２に係るルアーは、魚釣りに用いるルアーであって、透過性を有する合成樹脂からなる中空のルアー本体と、ルアー本体内に配置されたルアー本体の長手方向直交断面が略Ｖ字型の半透明シートとを備えている。
この場合には、キャスティング後の水中泳動時において、ルアー上面方向からの光は透過性のルアー本体を透過して半透明シートに当たる。この半透明シートはルアー本体の長手方向直交断面が略Ｖ字型に配置されており、ルアー上面方向からの光を効率的に受けると共に、その光の一部を透過して屈折させ、また光の一部を乱反射する。
【０００８】
発明３に係るルアーは、発明２のルアーであって、半透明シートはルアー本体の長手方向直交断面においてルアー本体底面側に開いている。
この場合には、半透明シートが、ルアー上面方向から侵入し半透明シートに当たった光の一部をルアー側面方向に反射する。そして、ルアー本体側面に位置する魚の興味を強く引き立てる。
【０００９】
発明４に係るルアーは、発明２のルアーであって、半透明シートはルアー本体の長手方向直交断面においてルアー本体上面側に開いている。
この場合には、半透明シートが、ルアー上面方向から侵入し半透明シートに当たった光をルアー底面方向に屈折させつつ透過する。そして、ルアー本体底面方向に位置する魚の興味を強く引き立てる。
【００１０】
【発明の実施の形態】
［第１実施形態］
以下、本発明の第１実施形態について図面を参照しつつ説明する。
本発明の第１実施形態を採用したルアーは、図１に示すように、外形を魚に似せて形成した中空のルアー本体１と、ルアー本体１の頭部付近に設けられ釣糸を係止可能な釣糸係止部２と、ルアー本体１の腹部底面付近及び尾部付近にそれぞれ設けられたアイ（止輪）３，４とを有している。そして、アイ３，４にはそれぞれスプリットリング５，６を介してフック（釣針）７，８が連結されている。また、ルアー本体１内部には半透明シート１０が配置されるとともに、ルアー本体１内部の中空の腹部付近の一部は区分けされて錘収納部９となっており、このラトル収納部９内に鉛等からなる錘１００が収納されている。
【００１１】
ルアー本体１は、透過性を有する合成樹脂からなる部材であって、外周面には魚に似せて目や鱗の模様が塗装されている。図２に示すように、このルアー本体１は所定の形状に形成された左右一対の半割部材を開口側の貼り合わせ面で貼り合わせて一体化して製造されている。一対の半割部材にはそれぞれ高さ方向中央付近に頭部から尾部にかけて溝部１ａが形成されている。このルアー本体１には必要に応じて様々な色彩を付してもよい。
【００１２】
半透明シート１０は透過性を有すると共に光を反射可能なシート状の部材であり、その厚みは０．１mm〜３．０ｍｍ程度である。この半透明シート１０は、ルアー本体１内にルアー本体１の高さ方向中央付近に幅方向に水平な状態で、ルアー本体１の頭部付近から尾部付近にかけて配置されている。具体的には、半透明シート１０は、ルアー本体１を構成する半割部材の溝部１ａに両側端がはめ込まれ固定されている。また、必要に応じて半透明シート１０を接着剤等で溝部１ａ内に固定してもよい。
【００１３】
このように構成されたルアーは、キャスティング後に釣糸係止部２に係止した釣糸をリトリーブされることにより水中を泳動する。水中泳動時に受けるルアー上面方向からの光は、透過性のルアー本体１を透過して半透明シート１０に当たる。この半透明シート１０はルアー本体１の幅方向に並行に配置されており、ルアー上面方向からの光を効率的に受ける。そして、その光の一部は半透明シート１０を透過して底面方向に至り、光の一部は半透明シートで乱反射する。
【００１４】
［第２実施形態］
以下、本発明の第２実施形態について図面を参照しつつ説明する。
本発明の第２実施形態を採用したルアーのルアー本体１は、透過性を有する合成樹脂からなる部材であって、外周面には魚に似せて目や鱗の模様が塗装されている。図３に示すように、このルアー本体１は所定の形状に形成された左右一対の半割部材を開口側の貼り合わせ面で貼り合わせて一体化して製造されている。
【００１５】
半透明シート２０は、第１実施形態と同様に、透過性を有すると共に光を反射可能なシート状の部材である。この半透明シート２０は、ルアー本体１の長手方向直交断面が略Ｖ字型でありルアー本体１の底面側に開いて、ルアー本体１内に配置されている。ルアー本体１の長手方向においては頭部付近から尾部付近にかけて配置されている。半透明シート２０は、半割部材を開口面で貼り合わせてルアー本体１を形成する際にルアー本体１内部の所定位置に配置され、ルアー本体１の内周面と接触する縁部に接着剤を塗布することで固定される。
【００１６】
このように構成されたルアーでは、半透明シート２０が、ルアー上面方向からルアー本体１を透過して侵入し半透明シートに当たった光をルアー側面方向に屈折しながら反射する。また、一部の光は半透明シートを透過してルアー本体１の底面方向に至る。そして、魚の興味を強く引き立てる。
［第３実施形態］
以下、本発明の第３実施形態について図面を参照しつつ説明する。
【００１７】
本発明の第３実施形態を採用したルアーは、図４に示すように、外形を魚に似せて形成した中空のルアー本体４１と、ルアー本体４１の頭部に設けられ釣糸を係止可能な釣糸係止部４２と、ルアー本体４１の腹部底面付近及び尾部付近にそれぞれ設けられたアイ（止輪）４３，４４とを有している。また、ルアー本体１内部には長手方向中央付近から尾部付近にかけて半透明シート３０が配置されるとともに、ルアー本体１内部の中空の腹部付近及び尾部付近には錘１００がそれぞれ収納されている。なお、ルアー本体４１は、水中において水面付近に浮遊するような比重となるように設定されている。
【００１８】
ルアー本体４１は、透過性を有する合成樹脂からなる部材であって、外周面には魚に似せて目や鱗の模様が塗装されている。また、ルアー本体１の頭部においては魚が大きく口を開けた形態を模しており、開口した口が流水を受け止める水受け部４１ａとなっている。また、図５に示すように、このルアー本体４１は所定の形状に形成された左右一対の半割部材を開口側の貼り合わせ面で貼り合わせて一体化して製造されている。
【００１９】
図５に示すように、半透明シート３０は、第１実施形態と同様に透過性を有すると共に光を反射可能なシート状の部材である。この半透明シート３０は、ルアー本体４１の長手方向直交断面が略Ｖ字型でありルアー本体４１の上面側に開いて、ルアー本体１内の長さ方向中央付近から尾部付近にかけて配置されている。この半透明シート２０は、半割部材を開口面で貼り合わせてルアー本体４１を形成する際にルアー本体４１内部の所定位置に配置され、ルアー本体４１の内周面と接触する縁部に接着剤を塗布することで固定される。
【００２０】
このように構成されたルアーは、キャスティング後水面付近に浮遊する。そして、釣糸をリトリーブすると水受け部４１ａが水を受けていわゆるホッパー音を発生して魚の興味を引き立てる。また、この水面付近でのリトリーブ時において、半透明シート３０が、ルアー上面方向からルアー本体４１を透過して侵入し半透明シート３０に当たった光をルアー底面方向に屈折しながら透過させる。そして、ルアー底面方向にいる魚の興味をさらに強く引き立てる。
【００２１】
［他の実施形態］
（ａ）１枚の半透明シートをルアー本体の長手方向断面においてルアー本体の上下方向から斜めに傾いた状態で配置してもよい。
（ｂ）半透明シートに蛍光色等の色を付してもよい。
【００２２】
【発明の効果】
本発明に係るルアーによれば、魚の興味を強く引きつけることができる。
【図面の簡単な説明】
【図１】本発明の第１実施形態を採用したルアーの全体図。
【図２】図１のII−II断面図。
【図３】本発明の第２実施形態を採用したルアーの断面図。
【図４】本発明の第３実施形態を採用したルアーの全体図。
【図５】図４のV−V断面図。
【符号の説明】
１，４１  ルアー本体
１０，２０，３０  半透明シート
【図１】
0004181709.tif 000002
【図２】
0004181709.tif 000003
【図３】
0004181709.tif 000004
【図４】
0004181709.tif 000005
【図５】
0004181709.tif 000006